(57)【要約】【課題】防水保護具を取り付ける際に、取り扱いが容易であり、また、特に入浴中において、四肢を完全に水に浸した際に、水が浸入しないように改良された防水保護具を提供する。【解決の手段】本発明の四肢用防水保護具の一例は、防水性のポリマーフィルムの袖状体１からなり、前記袖状体１は開口端２ａを備え、前記袖状体１の前記開口端２ａを密閉する接着部３が、前記開口端２ａに隣接する前記袖状体１の外側部３に形成されていることを特徴する。【選択図】図１
2008524455.tif 000002
【特許請求の範囲】
【請求項１】
防水性のポリマーフィルムからなる袖状体１は開口端２ａを備え、
前記開口端２ａを密閉する接着部３が、前記開口端２ａに隣接する前記袖状体１の外側部３に形成されていることを特徴する四肢用防水保護具。
【請求項２】
前記袖状体１が、前記開口端２ａを２つ備えることを特徴とする請求項１に記載の四肢用防水保護具。
【請求項３】
前記袖状体１が、前記開口端２ａを１つと閉口端２ｂを１つとを備えることを特徴とする請求項１に記載の四肢用防水保護具。
【請求項４】
前記四肢用防水保護具は、さらに密閉用の帯状体５を備え、前記密閉用の帯状体５の片面は接着部６を有することを特徴とする請求項１に記載の四肢用防水保護具。
【請求項５】
前記接着部３は、両面接着テープであることを特徴とする請求項１に記載の四肢用防水保護具。
【請求項６】
前記接着部３を有する前記外側部３が、前記袖状体１の外周のほぼ半分を超えることを特徴とする請求項１に記載の四肢用防水保護具。
【請求項７】
前記防水保護具内に存在する空気を排出するための通風弁１１を備えることを特徴とする請求項１に記載の四肢用防水保護具。
【請求項８】
四肢用防水保護具は、防水性のポリマーフィルムからなる袖状体１に、四肢８を導入し、
余分な用具部分がフラップ９を形成するように、前記四肢８周囲の前記袖状体１の前記開口端２ａを締め付け、
前記袖状体１の外側に向けて前記フラップ９を折り曲げ、
前記開口端２ａに隣接する前記袖状体１の外側部３に、接着部３を用いて、前記フラップ９を貼り付けることを特徴とする防水保護具の製造方法。
【請求項９】
四肢用防水保護具を形成するパーツセットにおいて、
前記パーツセットは、防水性のポリマーフィルムからなる袖状体からなり、
前記袖状体は、開口端２ａと密閉用の帯び状体５とを備え、
前記密閉用の帯状体５の片面は接着部６を有し、
前記袖状体１の前記開口端２ａを密閉する接着部３が、前記開口端２ａに隣接する前記袖状体１の外側部３に形成されることを特徴とするパーツセット。
【請求項１０】
前記防水保護具内に存在する空気を排出する通風弁１１を備えることを特徴とする請求項９に記載のパーツセット。
【発明の詳細な説明】
【技術分野】
【０００１】
本発明は、請求項１の従来の構成を示す前段部分に係る四肢用防水保護具に関し、このような防水保護具の密閉方法及び防水保護具の製造用のパーツセットに関する。
【背景技術】
【０００２】
例えば、シャワーや入浴時に傷口を湿気及び水蒸気から開放創を保護するために、体の傷口の部分にギプスの装着または絆創膏の貼付など、手足等の四肢用防水保護具を使用するは、既によく知られている。
【０００３】
欧州特許第６９５１５７号明細書は、ヒートシールで密閉された、一端部が開口し他端部が閉口したプラスティックの袖状体からなるような防水保護具を開示している。さらに、この防水保護具は、それ全体を超える長さのテープからなる密閉用の帯状体を備え、接着表面及びこの表面を覆う保護フィルムが設けられている。また、この帯状体は袖状体と同じ長さであり、溶接手段により袖状体に留められている。
【０００４】
米国特許第４７２７８６４号明細書では、開口端及び開口縁部を有するプラスティックフィルムの靴下形の袖状体を備えるような、周知の防水保護具が開示されている。さらに、この防水保護具は、接着表面を有する弾性材料の長さを越える密閉用の帯状体を備える。袖状体の外側及び開口縁部に、帯状体の一端において、帯状体は紐により留められている。開口縁部に隣接する袖状体の内側に、開口縁部の一部を皮膚に直接固定するための接着表面の小片も設けられている。
【特許文献１】欧州特許第６９５１５７号明細書
【特許文献２】米国特許第４７２７８６４号明細書
【発明の開示】
【発明が解決しようとする課題】
【０００５】
これら周知の防水保護具の問題の１つは、防水保護具を取り付ける際、取り扱いが困難な点である。また、もう１つの問題点として、特に入浴中において、四肢を完全に水に浸した際に、非透水性の状態を維持しない点である。
【０００６】
本発明の目的は、従来技術が有する問題点を全体的または部分的に解消した、改良された防水保護具を提供することである。
【課題を解決するための手段】
【０００７】
特許請求の範囲のそれぞれの独立項に係る方法及びパーツセットである、防水保護具により、完全または部分的に目的を達するものである。
【０００８】
本発明の実施形態は、特許請求の範囲の従属項、以下の説明文及び図面で説明されている。
【０００９】
従って、第１の発明では、防水ポリマーフィルムで形成され、開口端を有する袖状体を備える四肢用防水保護具を提供する。この防水保護具の際立った特徴は、袖状体の開口端を密閉するための接着部が、開口端に隣接する袖状体の外側部に形成されることである。
【００１０】
このような改良された防水保護具は、水の侵入がなく装着が容易な防水保護具を提供する。
【００１１】
一実施形態によると、防水保護具は、開口端を２つ備えることもできる。この実施形態は、例えば、上腕などの四肢の内側部の防水保護具に適している。
【００１２】
一実施形態によると、防水保護具は、開口端を１つと閉口端を１つとを備えることもできる。この実施形態は、例えば、手足などの四肢の外側部の防水保護具に適している。
【００１３】
一実施形態によると、防水保護具は、さらに、片面に接着部を有する密閉用の帯状体を備えることもできる。このような密閉用の帯状体は、四肢の周囲の袖状体の封止が改善される点において、有効活用できる。これにより、例えば、怪我をした四肢を完全に水に浸すことができる。
【００１４】
一実施形態によると、袖状体の外側にある接着部は、両面粘着テープからなるものでもよい。接着部の１つの利点は、製造し易く、袖状体に取り付け易い点である。
【００１５】
一実施形態によると、袖状体の外側にある接着部を有する外側部は、袖状体の外周のほぼ半分を超えるものも可能である。このことは、この防水保護具を四肢に装着した際に、簡易で防水性の高い袖状体の締め具を得られる利点を有する。さらに、接着部は、製造時において、袖状体に付け易い利点もある。
【００１６】
一実施形態によると、防水保護具は、さらに、防水保護具内に含まれる空気を除去するための通風弁を備えることもできる。怪我を包み込む防水保護具に、このような通風弁が設けられていることで、例えば、袖状体内に存在する空気が袖状体の密閉性の高い封止を壊す原因となる水圧なしに、四肢を完全に水に浸すことができる。
【００１７】
第２の発明によると、方法は、四肢周囲の防水保護具を形成するために用いられる。この方法は、四肢を防水性のポリマーフィルムからなる袖状体へ導入することと、余分な用具部分がフラップを形成するように四肢周囲の袖状体の開口端を密閉すること、を有している。さらに、この方法は、そのフラップを袖状体の外側へ折り曲げて、開口端に隣接して位置する袖状体の外側部にある接着部により、袖状体の外側に貼り付ける。
【００１８】
このような方法は、従来の防水保護具に比べて、防水保護具着用の簡便な方法を提供する。
【００１９】
第３の発明によると、パーツセットは、四肢周囲の防水保護具を形成するために供される。このパーツセットは、防水性のポリマーフィルムからなる開口端を有する袖状体、及び片面に接着部を有する密閉用の帯状体からなる。このパーツセットの際立った特徴は、袖状体の開口端を密閉する接着部が、開口端に隣接する袖状体の外側部の上に形成されている。
【００２０】
このようなパーツセットは、従来の防水保護具と比較して、堅く締めることができる防水保護具を用いているため、四肢が完全に水に浸かっている時、特に入浴時において、防水性が改良された保護具を提供する。
【００２１】
さらに、パーツセットは、防水保護具内にある空気を取り除く通風弁を備える。このような通風弁の利点は、既に上記で説明を行っている。
【００２２】
実施形態の更なる詳細な説明については、添付の図面を参照して行われる。
【発明を実施するための最良の形態】
【００２３】
図１〜３に示すように、防水保護具の実施形態は、開口端２ａ及び閉口端２ｂを備える袋状体１を形成するため、プラスティックの袖状体の一端を密閉することにより、形成しても良い。特別の定めのない限り、以下、袖状体１は必然的に袋状体１とする。
【００２４】
図１は、細長い袖状で、防水性のポリマーフィルム製の袋状体１からなる防水保護具の一実施形態を示す。ポリマーフィルムは、エチレンプラスティック、プロピレンプラスティックまたは同種のもの、もしくはこれらの合成物などの薄いオレフィンプラスティックからなってもよい。さらに、ポリマーフィルムを軟らかく、より柔軟性がありより丈夫なものとするために、エチレンブリルアクリレート（ＥＢＡ）などの添加剤をポリマーフィルムは含んでも良い。当業者に知られていて、防水性ポリマーフィルムを作製するのに適し、かつ肌と接触して使用可能なその他のポリマー材料及び添加剤を、使用することもできる。袋状体１は、手、足、または脚の一部のような四肢を挿入する開口端２ａを備える。接着部３は、開口端に隣接する袋状体の外側部３に形成される。示された実施形態には、接着部３を有する外側部３は、袋状体の外周のほぼ半分を超える。接着部３は、防水保護具を保護している防護フィルム４で覆われてもいる。この防護フィルム４は、接着部３から容易に外せるように設計されることもできる。
【００２５】
図２は、図１に示された実施形態の袋状体１に似た袋状体１を備える、防水保護具の追加的な一実施形態を示している。図２の実施形態は、さらに、密閉用の帯状体５を備え、図２の実施形態に示される袋状体は、オフレンプラスティックからなってもよい。
密閉用の帯状体５の片面６は、接着部６を有することができる。接着部６は、防水保護具を保護するための防護フィルム７を備えることもできる。この防護フィルム７は、容易に接着部６から外すことができる。密閉用の帯状体５は、袋状体１に一体化するまたはパーツセットに分割して袋状体１にまとめることもできる。
【００２６】
図３は、図２に示された実施形態の一変形例を示している。図３に示された実施形態は、帯状体５の一端が開口端２ａに隣接する袋状体１に固定されている点において、図２に示された実施形態と異なる。帯状体５は、接着手段、または、例えば溶接手段を用いて袋状体１に固定されることもできる。その他の固定手段として、当業者にとって周知であるような帯状体５などを用いることもできる。
【００２７】
図４ａ及び図４ｂは、前腕８への図１に示された実施形態の装着方法を示した図である。図４ａに示したように、前腕８は、開口端２ａを通して挿入される。そして、袋状体１の開口端２ａは、前腕８の周囲に堅く締められる。その結果、余分な用具部分がフラップ９を形成する。フラップの片面１０の一部分は、接着部３を有する外側部の一部または全体を備える。次に、保護フィルム４を取り外し、フラップ９は、開口端２ａに隣接し肌に対して平坦となる袋状体の外側の一部に、接着部３が固定されるように、折り曲げられる（図４ｂ参照）。折目を通る流路の形成を防ぐこの方法は、特に、接着部の２つの外側部間で接触がなされる場合に、防水保護具を容易に装着する方法であると同時に、水蒸気に対して高い防水性を有する方法である。
【００２８】
図５ａ及び図５ｂは、さらに防水性を向上させるための密閉用の帯状体５の装着方法を示した図である。袋状体１は、図４ａ及び図４ｂに関連して上述したように、最初に装着する。そして、保護フィルム７は、開口端２ａに隣接し既に図４ｂで装着されている袋状体１の外側に締め付けられている密閉用の帯状体５から外される。そして、開口端２ａで袋状体１の外側部の一部を有する領域を最終的に覆うように、四肢及び肌に接するこの外側部を囲む密閉用の帯状体５が、前腕８の周りに巻きつけられる。
【００２９】
図６に示すように、さらに、防水保護具の一実施形態は、通風弁１１を備えることもできる。外傷部を囲む防水保護具に備えられている通風弁１１により、例えば、四肢を完全に水に浸すことができる。通風弁１１が無い場合、水圧が袋状体１内の空気を、袋状体１の密閉された開口端２ａから、強制的に排出するため、その結果、きつく密閉された袋状体１の開口端２ａの遮水性を壊すことになる。防水保護具が装着された四肢は、最初に水に浸される袋状体１の閉口端２ｂにより囲まれた四肢の部分と一緒に浸され、次に、開口端２ａにより囲まれている四肢の部分と、順にうまい具合に浸されるので、通風弁１１は袋状体１の開口端２ａに隣接する袋状体１の部分に適切に形成される。
【００３０】
上述したように防水保護具を四肢に装着する前または後に、通風弁１１を袋状体１に取り付けることもできる。通風弁１１の一例として、袋状体１内の空気を排出し、液体が袋状体１内に進入しないようにできる、逆止弁１１の例である。このような逆止弁１１の構造は、当業者にとって周知のものであり、また、例えば、ゴム隔壁などの隔壁が逆止弁の機能を作り出すように設計された、スルーダクト１３を有する弁本体１２を備えることもできる。弁本体１２は、さらに、スルーダクト１３がプレート１４の面に対して直角な方向に突設されたプレート１４を備えることもできる。このプレート１４で、弁が袋状体１に取り付けられることができる。例えば、接着部は、袋状体１に取り付けるために、プレート１４の片面に形成する。通風弁１１は、さらに、袋状体１のポリマーフィルムに差込む手段及び通風弁１１が覆うように取り付け可能な開口部を作成する手段を考慮して設計されている。これらのような手段が無ければ、ペンなどの他の手段によって、開口部を作成することもできる。
【００３１】
一実施形態によると、通風弁１１は、逆止弁の機構がない開口ダクト１３を備えてることもできる。本実施形態において、通風弁１１の領域が水に浸される前に、いったん空気を排出して、例えば、テープを用いて、ダクト１３を密閉することもできる。
【００３２】
一実施形態によると、袋状体１の接着部３は、両面接着テープを備えることができる。粘着テープ層のような、接着部４の他のタイプも用いることができることも、高い評価を得られることである。様々な実施形態において、接着部３を有する外側部は、袋状体１の外周及び長さより、長いまたは短い部分で覆うこともできることも同様に高い評価を得られることである。接着部３は、水漏れしないぴったりした折目部分を形成するに十分な大きさである袋状体１の外面部分から構成されなければならない。
【００３３】
一実施形態によると、袋状体１の形状は任意であり、防水される四肢の形状に合わせることができる。袋状体１の任意の形状の例は、足の防水保護具を意図した、靴下形状の袋状体である。
【００３４】
一実施形態によると、密閉用の帯状体５は、少なくとも密閉用の帯状体５が巻かれる四肢の周囲の外周と同じ程度の長さである。この長さは、四肢を完全に水に浸すような、特に入浴の際、防水保護具を堅く締めるための、四肢周囲の袋状体１の確実な密閉をもたらす。
防水保護具は、さらに、防水性のポリマーフィルムであり、２つの開口端２ａを有する袖状体１からなる。袖状体１を密閉する接着部３は、各開口端２ａに隣接する袖状体１の外側部３に形成されている。本実施形態は、２つの密閉用の帯状体５を備えることもできることは高く評価される。２つの開口端２ａを有するこのような袖状体１は、上腕のような、四肢の内側部の防水保護具に適している。開口端２ａと閉口端２ｂとを有する袋状体１からなる実施形態は、手や足など、四肢の外側部の防水保護具に適している。したがって、袋状体１は、四肢の必要な部分のみ覆うように適合されることができる。
【図面の簡単な説明】
【００３５】
【図１】防水保護具の一実施形態を示した概略斜視図である。
【図２】防水保護具の一実施形態を示した概略斜視図である。
【図３】防水保護具の一実施形態を示した概略斜視図である。
【図４ａ】防水保護具を前腕にどのように装着できるかの例を示した図である。
【図４ｂ】防水保護具を前腕にどのように装着できるかの例を示した図である。
【図５ａ】図２または図３による防水保護具を前腕にどのように装着できるかの例を示した図である。
【図５ｂ】図２または図３による防水保護具を前腕にどのように装着できるかの例を示した図である。
【図６】通風弁を備える防水保護具の一実施形態を示した概略斜視図である。
【図１】
2008524455.tif 000003
【図２】
2008524455.tif 000004
【図３】
2008524455.tif 000005
【図４ａ】
2008524455.tif 000006
【図４ｂ】
2008524455.tif 000007
【図５ａ】
2008524455.tif 000008
【図５ｂ】
2008524455.tif 000009
【図６】
2008524455.tif 000010
【国際調査報告】
2008524455.tif 000011
2008524455.tif 000012
2008524455.tif 000013
2008524455.tif 000014